(57)【特許請求の範囲】
【請求項１】
複数のパイロットシンボルを繰り返すことにより２倍にされた前記複数のパイロットシンボルを含む第一ブロックを生成する第一ブロック生成部と、
ビット列における各ビットを反転させた反転ビット列を生成するビット列生成部と、
前記第一ブロックに含まれる各パイロットシンボルに対して、前記ビット列および前記反転ビット列における前記パイロットシンボルに対応するビットの値に応じて決まる位相回転を与えることにより、送信ブロックを生成する送信ブロック生成部と、
前記送信ブロックの末尾のＫ個のパイロットシンボルを前記送信ブロックの先頭にガードインターバルとして付加するＧＩ付加部と、
前記ガードインターバルが付加された前記送信ブロックを送信する送信部と、
を備えた送信機。
【請求項２】
前記パイロットシンボルはＭＰＳＫ変調の信号点に相当し、
前記パイロットシンボルに与えられる位相回転は、前記パイロットが再びＭＰＳＫ変調の信号点になるような位相回転であることを特徴とする請求項１に記載の送信機。
【請求項３】
前記ビット列および前記反転ビット列のビットの値が０の場合には０ラジアン、前記ビットの値が１の場合にはπ／２ラジアンだけ、前記パイロットシンボルの位相が回転させられることを特徴とする請求項２に記載の送信機。
【請求項４】
複数のパイロットシンボルを繰り返すことにより２倍にされた前記複数のパイロットシンボルを含む第一ブロックを生成する第一ブロック生成ステップと、
ビット列における各ビットを反転させた反転ビット列を生成するビット列生成ステップと、
前記第一ブロックに含まれる各パイロットシンボルに対して、前記ビット列および前記反転ビット列における前記パイロットシンボルに対応するビットの値に応じて決まる位相回転を与えることにより、送信ブロックを生成する送信ブロック生成ステップと、
前記送信ブロックの末尾のＫ個のパイロットシンボルを前記送信ブロックの先頭にガードインターバルとして付加するＧＩ付加部と、
前記ガードインターバルが付加された前記送信ブロックを送信する送信ステップと、
を備えた送信方法。
【発明の詳細な説明】
【技術分野】
【０００１】
本発明は、シングルキャリア信号の送信機と受信機に関し、特に多重されたデータの送信方法および受信方法に関する。
【背景技術】
【０００２】
シングルキャリア方式において、データ列を特定のパターンで繰り返すことで、一定間隔に配置された周波数成分（サブキャリア）から構成されるシングルキャリア信号を生成するIFDMA (Interleaved FDMA)方式がある（非特許文献１）。
【非特許文献１】“Interleaved FDMA - A New Spread-Spectrum Multiple-Access Scheme”, Proc of ICC’98, June 1998.
【発明の開示】
【発明が解決しようとする課題】
【０００３】
上記IFDMA方式では、複数のデータ列を、複数のチャネル（例えば、偶数周波数成分からなる偶数チャネルと、奇数周波数成分からなる奇数チャネル）を同時に使用して多重送信すると、送信信号の信号点がもはやＱＰＳＫや８ＰＳＫといった特定の信号点ではなくなり、送信信号のピーク電力が増加するという問題があった。
【０００４】
本発明は、複数のデータ列を多重して送信する際に送信信号のピーク電力を増加させずに、あるいは、ピーク電力の増加を最小限に留めて、当該複数のデータ列を１つのシングルキャリア信号として送信する送信機および、多重されたデータ列をフーリエ変換を用いて復調するための受信機を提供することを目的とする。
【課題を解決するための手段】
【０００５】
本発明の一態様としての送信機は、
複数のパイロットシンボルを繰り返すことにより２倍にされた前記複数のパイロットシンボルを含む第一ブロックを生成する第一ブロック生成部と、
ビット列における各ビットを反転させた反転ビット列を生成するビット列生成部と、
前記第一ブロックに含まれる各パイロットシンボルに対して、前記ビット列および前記反転ビット列における前記パイロットシンボルに対応するビットの値に応じて決まる位相回転を与えることにより、送信ブロックを生成する送信ブロック生成部と、
前記送信ブロックの末尾から連続するＫ個のパイロットシンボルを前記送信ブロックの先頭にガードインターバルとして付加するＧＩ付加部と、
前記ガードインターバルが付加された前記送信ブロックを送信する送信部と、
を備える。
【発明の効果】
【００１５】
本発明により、複数のデータ列を多重して送信する際に送信信号のピーク電力を増加させずに、あるいは、ピーク電力の増加を最小限に留めて、当該複数のデータ列を１つのシングルキャリア信号として送信することができる。
【発明を実施するための最良の形態】
【００１６】
以下、図面を参照しながら本実施の形態について詳細に説明する。
【００１７】
図１は、本発明の実施の形態に関わる送信機の第一の構成例を示す図である。より詳しくは、図１は、２つのデータ列である第一ビット列と第二ビット列を多重して送信するが、送信信号としてはシングルキャリア信号の形式で送信するための送信機の第一の構成例を示す。
【００１８】
第一ビット列は、第一変調部１１において第一の変調方法においてデータ変調が施され複数個の第一変調シンボルとして出力される。第一ブロック生成部１４では、N/2個の第一変調シンボルが集められて第一ブロックが構成され出力される。
【００１９】
第二ビット列は、第二変調部１４において第二の変調方法においてデータ変調が施され、第一変調シンボルと同数の複数の第二変調シンボルとして出力される。ただし、第二変調部１４が使用する信号点である第二変調信号点は、第一ブロック内の第一変調シンボルが使用した信号点である第一変調信号点によって変化し、信号点制御部（信号点選択部）１３によって制御される。本発明では、信号点制御部１３の動作によって、最終的に送信されるシンボル（送信ブロック構成部１６により生成されるシンボル）の信号点を調整することでピーク電力を抑えたシングルキャリア信号を生成する。信号点制御部１３は、ＩＱ平面上の原点を中心に回転させられた関係にある複数の信号点セットから、各第一変調シンボル毎に当該第一変調シンボルの値に応じた信号点セットを選択し、選択した信号点セットを、当該第一変調シンボルに対応するビットの変調に使用するように第二変調部１４に指定する。信号点セット選択部の動作の詳細は後述する。第二ブロック生成部１５では、第一ブロック生成部１４と同様に、第二変調部１４から出力された、N/2個の第二変調シンボルが集められ第二ブロックが構成され出力される。
【００２０】
送信ブロック構成部（送信ブロック生成部）１６では、第一ブロックと第二ブロックの加算と減算とを行うことにより、Ｎ個のシンボルから構成される送信ブロックを生成し出力する。図２は、送信ブロック構成部１６の動作を説明する図である。図２（ａ）に示すように第一ブロックが、a(1)〜a(N/2)までのN/2個の第一変調シンボルで構成され、また図２（ｂ）に示すように第二ブロックが、b(1)〜b(N/2)までのN/2個の第二変調シンボルで構成されている。この場合には、送信ブロック内の送信シンボルは、図２（ｃ）に示すように、前半部分x(1)〜x(N/2)が第一ブロッと第二ブロックの和、つまり、x(n)=a(n)+b(n)であり、後半部分x(N/2+1)〜x(N)が第一ブロックと第二ブロックの差、つまり、x(N/2+n)=a(n)-b(n)として生成される。このように、第一ブロックが、同じ符号で繰り返され（「a(1)〜a(N/2)」が２つ並べられ）、第二ブロックが、符号が反転して繰り返されている（「b(1)〜b(N/2)」と「-b(1)〜-b(N/2)」とが並べられている）のは、受信機においてフーリエ変換処理後に、第一ブロックが、偶数周波数成分のみを持ち、第二ブロックが奇数周波数成分のみを持つようにするためである。つまり、もし「a(1),a(2) ,a(3)...a(N/2) ,a(1) ,a(2) ,a(3)...a(N2)」のＮシンボルのブロック（ブロックＡとする）を送信すると、受信機においてフーリエ変換処理後に、このブロックは偶数周波数成分のみを持つ。同様に、もし「b(1) ,b(2) ,b(3)...b(N/2) ,-b(1) ,-b(2) ,-b(3)...-b(N2)」のＮシンボルのブロック（ブロックＢとする）を送信すると、受信機においてフーリエ変換処理後に、このブロックは奇数周波数成分のみを持つ。したがって、これらブロックＡおよびブロックＢを加算して得られる、Ｎシンボルのブロック「a(1)+b(1), a(2)+b(2) ,a(3)+b(3)...a(N/2)+b(N/2) ,a(1) -b(1) ,a(2) -b(2) ,a(3) -b(3)...a(N2) -b(N2)」を送信すると、受信機においてフーリエ変換後に、偶数周波数成分においてブロックＡから得られ、奇数周波数成分においてブロックＢが得られる。本発明の特徴の１つは、送信ブロック内の送信シンボルx(n)が、ＱＰＳＫや８ＰＳＫといった広く用いられている変調方式における特定の信号点になるように、信号点制御部１３を動作させることにある。
【００２１】
次に、ＧＩ付加部１７において、送信ブロックに対して通信路でのマルチパスによる干渉を低減する目的でガードインターバル（ＧＩ）を付加する。図３（ａ）に示す送信ブロックの場合、図３（ｂ）のように送信ブロックの末尾のKシンボルが、送信ブロックの前にガードインターバルとして付加される。このように送信ブロックを巡回的に繰り返されるように拡張するガードインターバルは、サイクリックプレフィクスとも呼ばれる。
【００２２】
ＧＩが付加された送信ブロックは、Ｄ／Ａ変換部１８においてデジタル信号からアナログ信号に変換され、ＲＦ／ＩＦ送信部１９において無線信号に変換されアンテナ２０より送信される。
【００２３】
図４は、本発明の実施の形態に関わる送信機の第二の構成例を示す図である。図１に示した送信機の第一の構成例は、送信ブロックを時間軸上の信号処理で生成するための構成であったが、図４の送信機の第二の構成例は、送信ブロックを周波数軸上での信号処理で生成するための構成である。
【００２４】
図４において、第一ブロック生成部１４および第二ブロック生成部１５でそれぞれ第一ブロックおよび第二ブロックが出力されるまでの動作は、図１の第一の構成例と同じであるのでここでは説明は省略する。
【００２５】
位相補正部２２では、第二ブロックのn番目(n=1,2,…,N/2)の要素であるb(n)に対して、位相回転exp(j(n-1)φ)を乗積する。ただし、φ=2π/Nである。位相補正部２２の入力および出力を図５（ａ）および図５（ｂ）に示す。第二ブロックに対して、このような位相回転を乗積する理由は、第二ブロックを周波数領域に変換し奇数番目のサブキャリアにマッピングした後で、時間領域に戻す際に生じる位相回転を相殺するためである。
【００２６】
次に、ＦＦＴ変換部（第一フーリエ変換部、第二フーリエ変換部）２１、２３では、第一ブロックと、位相補正部２２で位相回転が施された第二ブロックそれぞれに対して、サイズN/2のフーリエ変換(Fast Fourier Transform)処理が実施され、それぞれサイズN/2の周波数領域のデータである、第一周波数ブロック（第一周波数データ）と第二周波数ブロック（第二周波数データ）に変換される。サブキャリアマッピング部２４では、第一周波数ブロックと第二周波数ブロックの各要素を、図６で示すようなN本の直交するサブキャリアにマッピングする。Ｎ本のサブキャリアは、直流成分が偶数となるように、番号付けされている。偶数番号のサブキャリアまたは奇数番号のサブキャリアは、Ｎ本のサブキャリアのうち１つおきの各第一サブキャリアであり、奇数番号のサブキャリアまたは偶数番号のサブキャリアは各第一サブキャリアと異なる１つおきの各第二サブキャリアに相当する。
【００２７】
図７は、サブキャリアマッピングにおける、第一周波数ブロックと第二周波数ブロックのサブキャリアへのマッピング方法を示す図である。図７（ａ）は第一周波数ブロック、図７（ｂ）は第二周波数ブロックを示す。図７（ｃ）に示すように、第一周波数ブロックの要素A(1)〜A(N/2)は、偶数番目のサブキャリアに順番にマッピングされ、第二周波数ブロックの要素のB(1)〜B(N/2)は、奇数番目のサブキャリアに順番にマッピングされる。
【００２８】
ＩＦＦＴ変換部（逆フーリエ変換部）２５では、Ｎ本のサブキャリアにマッピングされた周波数データを、逆フーリエ変換(Inverse Fast Fourier Transform)処理により再度、時間領域のデータに変換する。ＩＦＦＴ変換部２５でのＩＦＦＴのサイズがNであれば、ＩＦＦＴ変換部２５の出力は、図２（ｃ）で示した第一の構成例での送信ブロックと同じになる。実際には、ＩＦＦＴのサイズは、デジタル部やアナログ部でのフィルタ処理（図示せず）のために、データがマッピングされたサイズNより大きな値を用いるのが一般的であるが、これは本発明の論点ではないので、説明を判りやすくために、特に断りのない限りＩＦＦＴのサイズは必要最低限のサイズ（この場合はN）であるとする。 図４のＧＩ付加部１７以降の動作は、図１に示した動作と本質的に同等であるので、説明を省略する。
【００２９】
図８は、本発明の実施の形態に関わる送信機の第三の構成例を示す図である。図８において、送信ブロック構成部１６までの動作は、図１の送信機の第一の構成例と同じであり、図８の送信ブロック構成部１６の出力も図２（ｃ）に示したものと同様の送信ブロックである。第三の構成例では、送信ブロックをＦＦＴ変換部（フーリエ変換部）２６においてフーリエ変換処理して周波数領域のデータに変換し、周波数領域のデータをサブキャリアマッピング部２４でサブキャリアにマッピングし、マッピングデータをＩＦＦＴ変換部２５においてフーリエ逆変換処理することにより再度、時間領域のデータに変換する。
【００３０】
図９は、サブキャリアマッピング部２４において、ＦＦＴ変換部２６の出力の周波数データX(1)〜X(N)と、図６で示したサブキャリアとの対応を示す図である。N本のサブキャリアにマッピングされた周波数データを、ＩＦＦＴ変換部２５では、逆フーリエ変換処理により再度、時間領域のデータに変換する。以降の動作は、図１、図４で示した第一および第二の構成例と同じであるので、説明を省略する。また、ＩＦＦＴ変換部２５の出力は、図２（ｃ）で示した送信ブロックと等価である。
【００３１】
図１０は、本発明の実施の形態に関わる送信機の第四の構成例を示す図である。図１、図４、図８で示した第一から第三の送信機の構成例では、一旦、第一ブロックと第二ブロックの２つのブロックを構成した後に、送信ブロックまたはそれに相当するＩＦＦＴ変換部の出力を生成していた。送信機の第四の構成例では、第一ビット列と第二ビット列から直接送信ブロックを生成する点が異なっている。
【００３２】
図２に示したように、送信ブロックの各要素x(n)は、a(n)とb(n)の加算または減算から構成されている。ここで第一変調部１１が用いる変調信号点の集合を“第一変調信号点セット”、第二変調部１４が用いる変調信号点の集合を“第二変調信号点セット”と定義する。つまり、{a(n)∈第一変調信号点セット}、{b(n)∈第二変調信号点セット}である。さらに、x(n)の信号点の集合を“送信変調信号点セット”と定義、つまり、{x(n)∈送信変調信号点セット}とすると、送信変調信号点セット=第一変調信号点セット±第二変調信号点セットの関係がある。ただし、本発明では、後述のようにb(n)の第二変調信号点は、a(n)の値に依存して変化することに特徴がある。
【００３３】
図１０において、信号点選択部３１では、第一ビット列と第二ビット列から、直接、x(n)に対応する信号点を送信変調信号点セットから選択し、変調部３２は、選択された信号点に対応するシンボルを出力する。信号点x(n)とx(N/2+n)は、a(n)+b(n)とa(n)-b(n)のように一種のペアの関係であるので、x(n)を決定する際には、自動的にx(N/2+n)も決定されることになる。ブロック生成部３３では、変調部３２から出力されるN個のシンボルx(1)〜x(N)をあつめて図２（ｃ）で示したような送信ブロックを構成し出力する。変調部３２とブロック生成部３３との組はたとえば送信ブロック生成部を形成する。
【００３４】
このように信号点選択部３１は、第一ビットデータ（たとえばa(n)）を第一変調して得られる第一変調シンボルと、第二ビットデータ（たとえばb(n)）を第二変調して得られる第二変調シンボルとの間で加算処理および減算処理して得られる信号点を、第一ビットデータと第二ビットデータとの組み合わせに応じて定義した信号点セットを記憶する信号点セット記憶部と、複数の第一ビットデータを含む第一ビット列と、第一ビット列に含まれる第一ビットデータと同数の第二ビットデータを含む第二ビット列とを受信する受信部とを含んでいる。信号点選択部３１は、互いに対応する第一ビットデータおよび第二ビットデータの組ごとに、第一ビットデータおよび第二ビットデータの加算および減算のそれぞれに対応する信号点を前記信号点セット記憶部内の信号点セットから選択する。送信ブロック生成部（変調部３２およびブロック生成部３３）は、信号点選択部３１により組ごとに選択された信号点に対応する送信シンボルを生成し、各組から得られた送信シンボルを含む送信ブロックを生成する。
【００３５】
図１０におけるＧＩ付加部１７以降の動作は、図１と同じであるので説明を省略する。
【００３６】
図１１は、本発明の実施の形態に関わる送信機の第五の構成例を示す図である。ブロック生成部３３までは、図１０で示した第四の構成例と同じである。図１０との違いは、送信ブロックをＦＦＴ変換部（フーリエ変換部）２６によりいったん周波数領域に変換し、周波数領域データをサブキャリアマッピング部２４によりサブキャリアにマッピングした後、マッピングデータをＩＦＦＴ変換部（逆フーリエ変換部）２５により再度、時間領域に変換して送信する点である。つまりＦＦＴ変換部２６以降の動作は、図８で示した第三の構成例と同じである。
【００３７】
図１２は、本発明の実施の形態に関わる送信機の第六の構成例を示す図である。図１で示した第一の構成例との違いは、第一ビット列と第一変調部１１が、パイロット生成部４１に置き換わっただけである。つまり、第一変調部１１の出力の変調シンボルa(n)(n=1,2,…,N/2)が、固定のパイロットシンボルになったと見なせば、第六の構成例は、第一の構成例（図１）と等価である。ただし、パイロットシンボルである場合には、後述のように受信機にとってa(n)が復調するまでもなく既知であるという点が異なる。それ以外の点は、図１の第一の構成例と同じであるので、説明を省略する。
【００３８】
図１３は、本発明の実施の形態に関わる送信機の第七の構成例を示す図である。図１０で示した第四の構成例において、信号点選択部３１が、第一ビット列と第二ビット列から、信号点を選択していたのを、パイロット生成部４１で生成されたパイロットシンボルと第二ビット列とから、信号点を選択するように変更した点が異なるだけである。
【００３９】
第一ビット列の代わりにパイロットシンボルを伝送する構成については、図４、図８、図１１で示した送信機の第二、第三、第五の構成例についても図１２あるいは図１３と同様にして実現できることは明らかである。
【００４０】
図１４は、本発明の実施の形態に関わる送信機の第八の構成例を示す図である。図１で示した第一の構成例と同様に、まず、第一のビット列から、第一変調部１１において変調シンボルa(n) (n=1,2,…,N/2) が生成される。第一ブロック生成部１２では、a(1)からa(N/2)までを2回繰り返したN個のシンボルからなる第一ブロックを出力する。図１５（ａ）は、第一ブロックの構成例を示す図である。a(n)（第一変調シンボル）はたとえばＭＰＳＫ(Multiple Phase Shift Keying)変調の信号点に相当する。
【００４１】
ビット反転部４４には第二のビット列が入力される。ビット列反転部４４は、第二ビット列を受けるビット列受信部を含んでいる。a(n)の信号点に応じて、第二のビット列の“0”と“1”を反転させる。ビット反転部４４の出力をc(n) (n=1,2,…,N/2)とすると、第二ブロック生成部１５では、c(1)からc(N/2)と、それらをビット反転したものとを連結したNビットから構成される第二ブロックを出力する。図１５（ｂ）は、第二ブロックの構成例を示す図である。ただし、d(n)は、c(n)をビット反転、つまり、“1”と“0”を入れ替えたものである。c(1)〜c(N/2)のビット列はたとえば第三のビット列に相当する。
【００４２】
次に、位相制御部４５では、第二ブロック生成部１５の出力である第二ブロックのn番目(n=1,2,…,N)のビットの値に応じて、第一ブロックのn番目のシンボルの値を回転させる。例えば、ビットが“0”の場合には、位相相回転量が0でそのままで、ビットが“1”の場合にはθ [rad]だけ第一ブロックのn番目のシンボルの値を回転させる。すなわちa(n)（第一変調シンボル）に与えられる位相回転は、第一変調シンボルが再びＭＰＳＫ変調の信号点になるような位相回転である。ブロック生成部３３では、位相制御部４５の出力のNシンボルを送信ブロックとして出力する。ブロック生成部３３と位相制御部４５との組はたとえば送信ブロック生成部を形成する。図１５（ｃ）は、送信ブロックの構成例を示す図である。ブロック生成部３３以降の動作は、図１０に示した第四の送信機の構成例と同じであるので説明を省略する。
【００４３】
送信機の第八の構成例によって生成される送信ブロックも、これまでに示した送信機の第一から第七の構成例によって生成される送信ブロックと本質的に同じで、２つの変調信号点の加算と減算で等価的に表すことができる。つまり、x(n)=a1(n)+b1(n)とx(n+N/2)=a1(n)-b1(n)の形式で表現することが可能である。例えば、c(n)=1とすれば、a1(n) = (x(n)+x(n+N/2))/2 = a(n)(1+exp(jθ))/2であり、b1(n) = (x(n)-x(n+N/2))/2 = a(n)(1-exp(jθ)/2)として読みかえれば同じである。
【００４４】
また、図１４において、ブロック生成部以降の構成として、フーリエ変換処理を用いた図１１で示した送信機の第五の構成例と同じ構成を用いることも可能であることは明らかである。
【００４５】
図１６は、本発明の実施の形態に関わる送信機の第九の構成例を示す図である。図１６は、図１４において、第一変調部１１をパイロット生成部４１に置き換え、第一変調シンボルが既知のパイロットシンボルに置き換わっただけであるので、第八の構成例と同様の議論が成立することは明白であるので、説明は省略する。第九の構成例では、パイロットシンボルに第二のビット列により単純な位相回転を付与することにより、送信機の第六、第七の構成例と同様にパイロットシンボルにビット列を多重することが可能になり、受信側では後述するようにフーリエ変換により、パイロットシンボルと第二ビット列を簡単に分離することができる。
【００４６】
以下、送信機の第一、第二、第三、および第六の送信機の構成例において、第一変調部１１（あるいはパイロット生成部４１）、信号点制御部１３、第二変調部１４によって、どのように送信ブロック内の送信変調信号点が構成されるかを説明する。
【００４７】
図１７は、第一変調部１１の出力であり第一ブロックの要素でもある第一変調シンボル（あるいはパイロットシンボル）に依存して、どのように信号点制御部１３と第二変調部１４が動作し、その結果どのような送信変調信号点が出力されるかを説明する図である。
【００４８】
図１７（ａ）は、第一変調シンボルa(n)の一例を示しており、a(n)は複素信号点a(n)=R1×exp(jθ)であるとする。ただし、a(n)は、ＰＳＫ(Phase Shift Keying)、ＱＡＭ(Quadrature Amplitude Modulation)、 ＡＰＳＫ(Amplitude Phase Shift Keying)などの変調方式の一信号点、あるいは、a(n)がパイロットシンボルの場合には、ある固定的な複素信号点である。
【００４９】
図１７（ｂ）は、信号点制御部１３で制御される前の、第二変調部１４が使用する第二変調信号点の一例を示し、ＢＰＳＫ(Binary Phase Shift Keying)の信号点を示している。この例では、b(n)がビットの“1”である場合には、b(n)=R2、ビットの“0”である場合には、b(n)=-R2である。
【００５０】
信号点制御部１３では、原点とa(n)を結ぶ直線に対して、ＢＰＳＫのI軸が垂直になるように、ＢＰＳＫの２つの第二変調信号点（信号点セット）を、回転させる。より正確には、ＢＰＳＫの２つの第二変調信号点を結んだ直線が、原点とa(n)を結ぶ直線に対して垂直になるように、ＢＰＳＫの信号点セットを回転させる。ここでは、a(n)の位相が複素平面のI軸を基準としてθ[rad]であるので、第二変調信号点を、原点を中心としてθ−π／２ [rad]反時計周りに回転させたものを第二変調信号点（図１７（ｃ））として第二変調部１４に使用させるように制御する。
【００５１】
ＢＰＳＫの場合には、垂直になる回転量は、θ−π／２[rad]とθ＋π／２[rad]との２つがあるが、常に−π／２より大きくπ／２以下であるような回転量を選択するように信号点制御部１３は制御しても良い。このような制御を施すことで、信号点の回転後も、b(n)のビットの“1”である信号点が、複素平面上で実部が0以上の領域に常に存在するようにできる。ただし、実部が0で、虚数部が0以下の領域を除く。このような信号点の制御を実施すると、位相回転が施されていてもＢＰＳＫ単独での復調も可能となる。
【００５２】
図１７(ｄ)は、第一変調シンボルa(n)と第二変調シンボルb(n)が、図１７（ａ）と図１７(ｃ)であるときに、送信ブロックのn番目の要素であるx(n)=a(n)+b(n)の送信変調信号点を示す図である。同図において、PX1は、b(n)が“1”である場合、PX0は、b(n)が“0”である場合の信号点である。このとき、x(N/2+n)=a(n)-b(n)で表すことができるので、x(n)がPX1であれば、x(N/2+n)がPX0となり、x(n)がPX0である場合には、x(N/2+n)がPX1となる性質がある。さらに、PX0とPX1の振幅は共に
【数１】
0004455630.tif 000002
である。
【００５３】
このように、第二変調信号点のＩ軸あるいはＢＰＳＫの２つの信号点を結んだ直線を、原点と第一変調シンボルを結ぶ直線に対して垂直になるようにＢＰＳＫの信号点セットを回転させることで、２つの変調シンボルa(n)とb(n)を加算、減算した場合の振幅値Rの最大値を最小にすることができ、その結果送信信号のピーク電力の増加を抑えることができる。さらに、後述のように第一変調シンボルと第二変調シンボルの振幅R1、R2をそれぞれ適切に設定することで、送信変調信号点がＰＳＫなど特定の変調方式の信号点になるように制御することができる。
【００５４】
図１８は、第二変調部１４でＱＰＳＫを用いた場合に、第一変調部１１の出力であり第一ブロックの要素でもある第一変調シンボル（あるいはパイロットシンボル）に依存して、どのように信号点制御部１３と第二変調部１４が動作し、送信変調信号点が生成されるかを説明する図である。
【００５５】
図１８（ａ）は、第一変調シンボルa(n)の一例を示しており、a(n)は複素信号点a(n)=R1×exp(jθ)であるとする。ただし、a(n)は、ＰＳＫ(Phase Shift Keying)、ＱＡＭ(Quadrature Amplitude Modulation)、 ＡＰＳＫ(Amplitude Phase Shift Keying)などの変調の一信号点、あるいは、a(n)がパイロットシンボルの場合には、ある固定的な複素信号点である。
【００５６】
図１８（ｂ）は、信号点制御部１３で制御される前の、第二変調部１４が使用する第二変調信号点の一例を示し、ＱＰＳＫの信号点を示している。すなわち、b(n)の２つのビットの情報がそれぞれ、“00”、“01”、“10”、“11”の場合の信号点を示している。
【００５７】
図１８（ｃ）に示すように、信号点制御部１３では、原点とa(n)を結ぶ直線に対して、４つの第二変調信号点の外周（外形）を規定する直線が平行あるいは垂直になるように回転させる。すなわち４つの第二変調信号点（信号点セット）の外形を規定する各隣接する信号点を結んだ直線の少なくともいずれかが原点とa(n)を結ぶ直線に対して垂直になるように回転させる。ここでは、ＢＰＳＫの場合と同様に、原点とa(n)を結ぶ直線が、b(n)= “01”とb(n)= “00”同士を結ぶ直線に対して垂直になるようにＱＰＳＫの信号点をθ−π／２[rad]反時計周りに回転させる。ＱＰＳＫの場合には、垂直または平行になる回転量は、θ−π／２ [rad]以外にも、θ[rad]、θ−π [rad]、θ＋π／２ [rad]の計４つが存在するが、常に−π／４より大きくπ／４以下であるような回転量を選択するように信号点制御部１３は制御しても良い。このような制御をすることで、b(n)= “00”が常に複素平面の第一象限（実部と虚部が共に０以上）に配置される。ただし、I軸上の点を除く。このような位相回転を用いると、ＱＰＳＫ単独での復調も可能になる。
【００５８】
図１８(ｄ)は、第一変調シンボルa(n)と第二変調シンボルb(n)を加算あるいは減算することで生成される信号点PX0〜PX3を示している。この場合には、PX0とPX1の振幅が同図に示すようにR3となり、PX2とPX3の振幅がR4となる。つまり、送信変調信号点が２つの振幅
【数２】
0004455630.tif 000003
の円周上の信号点として生成される。
【００５９】
以下、送信変調信号点の構成方法について、具体例を用いて説明する。
【００６０】
図１９は、本発明の実施の形態に関わる送信変調信号点の第一の構成例を示す図である。
【００６１】
図１９（ａ）は、第一変調部１１での変調方式であるＱＰＳＫの第一変調信号点PA1〜PA4を示す図である。図１９（ｂ）は、第二変調部１４での変調方式であるＢＰＳＫの第二変調信号点を示す図である。第一変調信号点が、PA1またはPA3の場合に、第二変調信号点としてPB10あるいはPB11が使用され、第一変調信号点が、PA2またはPA4の場合に、PB20またはPB21が使用される。図１９（ｃ）は、第一変調信号点と第二変調信号点の加算と減算から生成される送信変調信号点PX1〜PX4を示す図である。図１９（ｃ）の例では、第一変調信号点と第二変調信号点の振幅（電力）が等しい場合であり、その結果、送信変調信号点は、第一変調信号点と同様にＱＰＳＫになる。ただし、振幅は、
【数３】
0004455630.tif 000004
倍になっている。図１９（ｃ）に示した送信変調信号点は、図１０および図１１で示した送信機の第四あるいは第五の構成例の信号点選択部３１を用いて、第一ビット列と第二ビット列から、直接生成することが可能である。
【００６２】
図２０は、送信変調信号点の第一の構成例（図１９）に関して第一ビット列および第二ビット列と、送信変調信号点との関係の一例を纏めた図である。同図には、対応する、第一変調信号点と第二変調信号点も併記してある。例えば、第一ビット列の２ビットが“00”で、第二ビット列の１ビットが“0”である場合には、送信変調信号点として、x(n)に対しPX2、x(N/2+n)に対しPX1を選択することになる。図２０の例では、第二ビット列のビットが”1”の場合の第二変調信号点の実部が0以上（ただし、実部が0で、虚部が0以下を除く）になるように設定されている。同図のビット列と変調信号点の組み合わせは一例であるので、これ以外の組み合わせでも同様の議論が成立することは明らかである。図２１は、送信変調信号点の第一の構成例（図１９）に関して第一ビット列および第二ビット列と、送信変調信号点との関係の別の例を纏めた図である。図２１の例では、第二ビット列のＢＰＳＫの変調点が、第一変調信号点に対して単純に回転したものになるように設定されている。これらの図には、第二変調信号点の図１７（ｂ）のBPSKの基準位相に対する位相回転量[rad]が示してある。
【００６３】
図２２は、本発明の実施の形態に関わる送信変調信号点の第二の構成例を示す図である。
【００６４】
図２２（ａ）は、第一変調部１１での変調方式であるπ／４シフトＱＰＳＫの第一変調信号点PA1〜PA4、PA5〜PA8を示す図である。図２２（ｂ）は、第二変調部１４での変調方式であるＢＰＳＫの第二変調信号点を示す図である。図１９と同様に、第一変調信号点が、PA1またはPA3の場合に、第二変調信号点としてPB10あるいはPB11が使用され、第一変調信号点が、PA2またはPA4の場合に、PB20またはPB21が使用され、第一変調信号点が、PA5、PA7の場合には、PB30あるいはPB31が使用され、第一変調信号点が、PA6、PA8の場合には、PB40あるいはPB41が使用される。図２２（ｃ）は、第一変調信号点と第二変調信号点の加算と減算から生成される送信変調信号点PX1〜PX8を示す図である。図２２（ｃ）の例では、第一変調信号点と第二変調信号点の振幅（電力）が等しい場合であり、その結果、送信変調信号点は、第一変調信号点と同様にπ／４シフトＱＰＳＫになる。図２２で示した第二の構成例は、図１９で示した信号点を、奇数番目のシンボルか偶数番目シンボルかに応じて、単純にπ／４シフトしていると見ても良い。
【００６５】
図２３は、送信変調信号点の第二の構成例（図２２）に関して第一ビット列および第二ビット列と、送信変調信号点との関係の一例を纏めた図である。図２３の例では、第二ビット列のビットが”1”の場合の第二変調信号点の実部が0以上（ただし、実部が0で、虚部が0以下を除く）になるように設定されている。図２４は、送信変調信号点の第二の構成例（図２２）に関して第一ビット列および第二ビット列と、送信変調信号点との関係の別の例を纏めた図である。図２４の例では、第二ビット列のＢＰＳＫの変調点が、第一変調信号点に対して単純に回転したものになるように設定されている。これらの図には、第二変調信号点の図１７（ｂ）のBPSKの基準位相に対する位相回転量[rad]が示してある。
【００６６】
図２５は、本発明の実施の形態に関わる送信変調信号点の第三の構成例を示す図である。
【００６７】
図２５（ａ）は、第一変調部１１での変調方式である８ＰＳＫの第一変調信号点PA1〜PA8を示す図である。図２５（ｂ）は、第二変調部１４での変調方式であるＢＰＳＫの第二変調信号点を示す図である。図２２と同様に、第一変調信号点が、PA1またはPA3の場合に、第二変調信号点としてPB10あるいはPB11が使用され、第一変調信号点が、PA2またはPA4の場合に、PB20またはPB21が使用され、第一変調信号点が、PA5、PA7の場合には、PB30あるいはPB31が使用され、第一変調信号点が、PA6、PA8の場合には、PB40あるいはPB41が使用される。図２５（ｃ）は、第一変調信号点と第二変調信号点の加算と減算から生成される送信変調信号点PX1〜PX8を示す図である。図２２（ｃ）の例では、第一変調信号点と第二変調信号点の振幅（電力）が等しい場合であり、その結果、送信変調信号点は、第一変調信号点と同様に８ＰＳＫになる。π／４シフトＱＰＳＫは、８ＰＳＫの信号点の内、奇数番目のシンボルと偶数番目のシンボルとで異なる信号点のサブセットを使用しているのと等価であるから、図２５は本質的に図２２と同じである。
【００６８】
図２６は、送信変調信号点の第三の構成例（図２５）に関して第一ビット列および第二ビット列と、送信変調信号点との関係の一例を纏めた図である。図２６の例では、第二ビット列のビットが“1”の場合の第二変調信号点の実部が0以上（ただし、実部が0で、虚部が0以下を除く）になるように設定されている。図２７は、送信変調信号点の第三の構成例（図２５）に関して第一ビット列および第二ビット列と、送信変調信号点との関係の別の例を纏めた図である。図２７の例では、第二ビット列のＢＰＳＫの変調点が、第一変調信号点に対して単純に回転したものになるように設定されている。これらの図には、第二変調信号点の図１７（ｂ）のBPSKの基準位相に対する位相回転量[rad]が示してある。
【００６９】
図２８は、本発明の実施の形態に関わる送信変調信号点の第四の構成例を示す図である。
【００７０】
図２８（ａ）は、第一変調部１１での変調方式である８ＰＳＫの第一変調信号点PA1〜PA8を示す図であり、図２５（ａ）と同じである。図２８（ｂ）は、第二変調部１４での変調方式であるＢＰＳＫの第二変調信号点を示す図である。ただし、図２８（ｂ）と図２５（ｂ）との違いは、信号点の振幅が異なる点であり、図２８（ｂ）では８ＰＳＫとＢＰＳＫの振幅の比は、１：tan(0.1875π)=1:0.66818である。図２８（ｃ）は、第一変調信号点と第二変調信号点の加算と減算から生成される送信変調信号点PX1〜PX16を示す図である。８ＰＳＫとＢＰＳＫの振幅を調整した結果、同図に示すように送信変調信号点は、１６ＰＳＫとなる。
【００７１】
図２９は、送信変調信号点の第四の構成例（図２８）に関して第一ビット列および第二ビット列と、送信変調信号点との関係の一例を纏めた図である。図２９の例では、第二ビット列のビットが“1”の場合の第二変調信号点の実部が0以上（ただし、実部が0で、虚部が0以下を除く）になるように設定されている。図３０は、送信変調信号点の第四の構成例（図２８）に関して第一ビット列および第二ビット列と、送信変調信号点との関係の別の例を纏めた図である。図３０の例では、第二ビット列のＢＰＳＫの変調点が、第一変調信号点に対して単純に回転したものになるように設定されている。これらの図には、第二変調信号点の図１７（ｂ）のBPSKの基準位相に対する位相回転量[rad]が示してある。
【００７２】
図３１は、本発明の実施の形態に関わる送信変調信号点の第五の構成例を示す図である。
【００７３】
図３１（ａ）は、第一変調部１１での変調方式であるπ／４シフトＢＰＳＫの第一変調信号点PA1〜PA4を示す図である。図３１（ｂ）は、第二変調部１４での変調方式であるＢＰＳＫの第二変調信号点を示す図である。第一変調信号点が、PA1またはPA3の場合に、第二変調信号点としてPB10あるいはPB11が使用され、第一変調信号点が、PA2またはPA4の場合に、PB20またはPB21が使用される。図３１（ｃ）は、第一変調信号点と第二変調信号点の加算と減算から生成される送信変調信号点PX1〜PX8を示す図である。図３１（ｃ）の例では、第一変調信号点と第二変調信号点の振幅（電力）が等しい場合であり、その結果、送信変調信号点は、π／４シフトＱＰＳＫになる。
【００７４】
図３２は、送信変調信号点の第五の構成例（図３１）に関して第一ビット列および第二ビット列と、送信変調信号点との関係の一例を纏めた図である。図３２の例では、第二ビット列のビットが“1”の場合の第二変調信号点の実部が0以上（ただし、実部が0で、虚部が0以下を除く）になるように設定されている。図３３は、送信変調信号点の第五の構成例（図３１）に関して第一ビット列および第二ビット列と、送信変調信号点との関係の別の例を纏めた図である。図３３の例では、第二ビット列のＢＰＳＫの変調点が、第一変調信号点に対して単純に回転したものになるように設定されている。これらの図には、第二変調信号点の図１７（ｂ）のBPSKの基準位相に対する位相回転量[rad]が示してある。
【００７５】
図３４は、本発明の実施の形態に関わる送信変調信号点の第六の構成例を示す図である。
【００７６】
図３４（ａ）は、第一変調部１１での変調方式である８ＰＳＫあるいはπ／４シフトＱＰＳＫの第一変調信号点PA1〜PA8を示す図である。図３４（ｂ）は、第二変調部１４での変調方式であるＱＰＳＫの第二変調信号点を示す図である。第一変調信号点が、PA1、PA3、PA5、PA7の場合に、第二変調信号点としてPB11、PB12、PA13、PA14のいずれか使用され、第一変調信号点が、PA2、PA4、PA6、PA8の場合に、PB21、PB22、PB23、PB24のいずれかが使用される。図３４（ｃ）は、第一変調信号点と第二変調信号点の加算と減算から生成される送信変調信号点を示す図である。図３４（ｃ）の例では、第一変調信号点と第二変調信号点の振幅（電力）が等しい場合であり、その結果、送信変調信号点は、振幅の異なる２つの８ＰＳＫで構成される１６ＡＰＳＫの信号点PX1〜PX16となる。このとき、第一変調信号点と第二変調信号点の振幅を共にＲとすると、１６ＡＰＳＫの信号点の振幅は、
【数４】
0004455630.tif 000005
となる。
【００７７】
図３５は、送信変調信号点の第六の構成例（図３４）に関して第一ビット列および第二ビット列と、送信変調信号点との関係の一例を纏めた図である。図３５の例では、第二ビット列のビットが“00”の場合の第二変調信号点が第一象限（I軸上の点を除いて、実部と虚部が共に０以上）になるように設定されている。図３６は、送信変調信号点の第六の構成例（図３４）に関して第一ビット列および第二ビット列と、送信変調信号点との関係の別の例を纏めた図である。図３６の例では、第二ビット列のQPSKの変調点が、第一変調信号点に対して単純に回転したものになるように設定されている。これらの図には、第二変調信号点の図１８（ｂ）のQPSKの基準位相に対する位相回転量[rad]が示してある。
【００７８】
次に、送信機の第八および第九の構成例（図１４および図１６）による送信ブロックの生成方法の一例を示す。第一変調部１１あるいはパイロット生成部４１からの出力のN/2個のシンボルa(n) (n=1,2,…,N/2)が、図２２（ｃ）で示したπ／４シフトＱＰＳＫの変調信号点である場合を例に説明する。つまり、a(n)は、nが偶数ではPX1からPX4、nが奇数ではPX5からPX8のいずれかの信号点である。ビット反転部４４は、第二のビット列のビットの値を、第一変調部１１あるいはパイロット生成部４１のa(n)の信号点に依存して反転させる。第二のビット列は、ビット反転部４４によって場合によっては一部ビットが反転されたN/2ビットのビット列c(n) (n=1,2,…,N/2)にされる。位相制御部４５では、0あるいはπ／２[rad]の位相回転を実施するとすれば、送信ブロックのN個のシンボルは、c(n) or d(n)=”0”では、x(n)=a(n)、x(N/2+n)=j×a(n)、c(n) or d(n)=”1”ではx(n)=j×a(n)、x(N/2+n)=a(n)となり、a(n)に対して単純な操作で送信ブロックを構成することが可能であることが判る。ここで、
【数５】
0004455630.tif 000006
である。この場合、x(n)は、a(n)に対して0あるいはπ／２[rad]の位相回転のみしか付加されないので、x(n)の信号点もa(n)と同じπ／４シフトＱＰＳＫの信号点上であることは明らかである。例えば、a(n)が８ＰＳＫの信号点であるなら、x(n)も８ＰＳＫの信号点となり、a(n)が１６ＰＳＫの信号点であるなら、x(n)も１６ＰＳＫの信号点となることは明らかである。
【００７９】
図３７は、図２３で示した送信変調信号点の第二の構成例と等価になるようにビット反転部４４によるビット反転を設定した場合での、第一変調信号点と、第二ビット列と、送信変調信号点との関係を纏めた図である。ここで、b(n)がビット反転部４４への入力ビットであり、c(n)がビット反転部４４の出力ビットである。また、d(n)は、c(n)をビット反転させたものである。先に示したように、この方法によって生成される送信ブロックは、図２３に示したように２つの変調信号点の加算、減算で表したものと全く等価であるので、このビット反転部４４でのビット反転は、第二変調信号点のビットの“1”が複素平面状の実部の0以上の点になるように、第二変調信号点のＢＰＳＫの信号点の“0”と“1”を単純に入れ替えることを意味している。
【００８０】
図３８は、図２４で示した送信変調信号点の第二の構成例と等価になるようにビット反転部４４によるビット反転を設定した場合での、第一変調信号点と、第二ビット列と、送信変調信号点との関係を纏めた図である。この場合は、ＢＰＳＫの変調信号点の単純な回転に相当するので、ビット反転は必要なく図３８のb(n)とc(n)は同じである。
【００８１】
以上のような方法で送信機の第八あるいは第九の構成例により生成された送信ブロックが、送信機の第一から第七の構成例で生成する送信ブロックと本質的に等価であることを説明する。上記の例と同様に、送信機の第八あるいは第九の構成例より生成された送信ブロックのn番目のシンボルx(n)が図２２（ｃ）のようなπ／４シフトＱＰＳＫの信号点であるとする。例えば、c(n)= “0”であり、x(n)=AX1、x(N/2+n)=AX2=j×AX1であったとすると、x(n)とx(N/2+n)は、図２２（ａ）の第一の変調信号点a1(n)と図２２（ｂ）で示した第二の変調信号点b1(n)の加算と減算を用いて、x(n)=a1(n)+b1(n)、x(N/2+n)=a1(n)-b1(n)と表現することが可能である。ただし、a1(n)=PA1、b1(n)=PB10である。送信機の第一から第七の構成例で説明したように、x(n)とx(N/2+n)はそれぞれ二つの変調信号点の加算と減算で表現されていることが判り、よって送信機の第一から第九の構成例によって生成される送信ブロックが本質的にはすべて等価であるということが判る。このとき、図１４の第一変調部１１の出力a(n)と、例えば、図１の第一変調部１１の出力a1(n)とは等価であり、その関係としては、a(n)は単にa1(n)に対して固定値
【数６】
0004455630.tif 000007
を乗積した関係になっているのは明らかである。同様に、c(n)は、b1(n)に一対一に対応していることが判る。
【００８２】
図２３と図３７を比較すると、同じ送信変調信号点を生成するための、第一データ列と第二データ列（図３７の場合にはb(n)）の値が全く同じであることが判る。同様に、図２４と図３８を比較すると、同じ送信変調信号点を生成するための、第一データ列と第二データ列（図３８の場合はb(n)）の値も全く同じであることが判る。つまり、送信機では、図３７や図３８のように第八あるいは第九の構成例に従って送信ブロックを生成したとしても、この送信ブロックは送信信号としては第一から第七の構成例で生成したものと完全に等価であるので、受信機ではあたかも図２３や図２４に従って送信ブロックが生成されたものとして復調することが可能である。
【００８３】
ここでは、図２２で示した第一変調信号点がπ／４シフトＱＰＳＫの場合を例にして送信機の第八と第九の構成例について説明したが、図１９、図２５、図２８、図３１で示したように、第一変調信号点がＱＰＳＫ、８ＰＳＫ、１６ＰＳＫ、ＢＰＳＫであっても同様の方法で第一変調信号点に対する位相回転により送信ブロックを生成することが可能なことは明らかである。
【００８４】
以下に、送信機の第一から第九の構成例から送信される信号を受信するための受信機の構成について説明する。
【００８５】
図３９は、本発明の実施の形態に関わる受信機の第一の構成例を示す図である。受信機の第一の構成例は、送信機の第一から第五、および第八の構成例からの信号を受信するための受信機の構成である。
【００８６】
アンテナ５０から受信された無線信号は、ＲＦ／ＩＦ受信部５１を経てベースバンド信号に変換され、Ａ／Ｄ変換部５２によってアナログ信号からデジタル信号に変換される。ＧＩ除去部５３では、デジタル信号に対して、送信機のＧＩ付加部１７で付加された長さのガードインターバルを除去する。次にＦＦＴ変換部（フーリエ変換部）５４では、送信された送信ブロックに対してフーリエ変換を実施し、受信した送信ブロックを直交する周波数成分（サブキャリア）に分解する。フーリエ変換が施された受信信号を、ここでは受信周波数データと呼ぶことにする。受信周波数データが含まれるＦＦＴ変換部５４の出力でのＮ個の周波数成分（サブキャリア）の例を図４０に示す。次に、受信周波数データに対して、等化部５５において、通信路の歪みを補正するために、周波数成分毎に複素数を乗算して通信路の補正を実施する。補正方法は、ＭＭＳＥ（Ｍｉｎｉｍｕｍ−Ｍｅａｎ  Ｓｑｕａｒｅ  Ｅｒｒｏｒ）やＺＦ（Ｚｅｒｏ−Ｆｏｒｃｉｎｇ）基準の等化方法がある。また、本発明の焦点ではないので詳細な説明は省くが、送信信号に対して、フィルタ処理が施されている場合には、ＦＦＴ変換部５４での出力ではＮ個より多くの周波数成分に、送信ブロックの成分が含まれているが、Ｎ個より余分な周波数成分はエイリアス成分であるので、等化部５５における等化処理の際に、この余分な周波数成分をＮ個の周波数成分へ合成することが可能である。
【００８７】
次に、サブキャリア分割部（分離部）５６において、等化処理が施されたＮ個の周波数成分からなる受信周波数データは、偶数の周波数成分と奇数の周波数成分とに分割される。受信周波数データを、偶数周波数成分である第一受信周波数ブロック（第一受信周波数データ）と、奇数周波数成分である第二受信周波数ブロック（第二受信周波数データ）へと分割する例を示す図４１に示す。図４１（ａ）が受信周波数データとサブキャリアとの対応、図４１（ｂ）が第一受信周波数ブロック、図４１（ｃ）が第二受信周波数ブロックを示す。偶数または奇数の周波数成分は、たとえば複数の周波数成分のうち１つおきの各第一周波数成分に相当し、奇数または偶数の周波数成分は、たとえば各第一周波数成分と異なる１つおきの各第二周波数成分に相当する。
【００８８】
第一受信周波数ブロックと第二受信周波数ブロックは、それぞれＩＦＦＴ変換部５７、５８においてサイズN/2の逆フーリエ変換処理が施され、時間軸の信号へと再度変換される。ＩＦＦＴ変換部５７、５８の出力を、それぞれ第一受信ブロック（たとえば複数の第一受信シンボルを含む第一シンボル列に相当）、第二受信ブロック（たとえば複数の第二受信シンボルを含む第二シンボル列に相当）と定義する。第一受信ブロック、第二受信ブロックは、それぞれ、送信された第一ブロックと第二ブロックに対応している。
【００８９】
第二受信ブロックは、奇数番目の周波数成分で構成され、ＩＦＦＴ変換部５８で位相回転が発生しているので、位相補正部５９では、第二受信ブロックに対して、位相回転を補償する処理を施す。位相補正部５９の動作例を図４２に示す。同図に示すように第二受信ブロックのn番目（n=1,2,…,N/2）の要素である
【数７】
0004455630.tif 000008
は、位相回転が施され、
【数８】
0004455630.tif 000009
が出力される。ただし、φ=2π/Nである。
【００９０】
第一復調部６０では、第一変調部１１で変調されたデータの復調を実施する。復調方法は、通常のデータ復調方法そのものでよく、例えば、第一変調部１１においてＱＰＳＫ変調が用いられていれば、通常のＱＰＳＫ復調を用いればよい。
【００９１】
一方、第二復調部６２では、第一復調部６０での第一受信ブロックの復調結果、あるいは、第一受信ブロックに含まれる第一受信シンボルそのものの値に依存した信号点補正を伴うデータ復調を実施する。
【００９２】
図４３は、信号点補正部（信号点選択部）６１と第二復調部６２の動作を説明する図である。
【００９３】
図４３（ａ）は、第一受信ブロックのn番目の要素
【数９】
0004455630.tif 000010
そのもの、あるいは、第一復調部での判定結果を示し、
【数１０】
0004455630.tif 000011
の位相が図で示すようにθ(n)であったとする。信号点補正部６１では、図４３（ｂ）に示す、位相補正部５９の出力での第二受信ブロックのn番目の要素
【数１１】
0004455630.tif 000012
に対して、送信機の信号点制御部１３で適用された位相回転を相殺するような制御を実施する。
【００９４】
例えば、送信機において第一変調信号点が
【数１２】
0004455630.tif 000013
の判定結果の信号点であり、かつ信号点制御部１３での第二変調信号点の位相回転量がφである場合には、
【数１３】
0004455630.tif 000014
に対してexp(-jφ)を乗積したのちに、第二復調部６２において通常の、例えば、図１７（ｂ）のような信号点を持つＢＰＳＫ復調を行う（図４３（ｃ）参照）。なお第八の構成例の送信機の場合は、常にＢＰＳＫ復調を行う。このような処理を実施できるのは、図２０から図３５に示したように変調信号点の対応から、第一変調信号点の判定結果によって、第二変調部１４でどのような変調信号点が使用されるか判るからである。
【００９５】
あるいは、第一復調部６０における判定結果
【数１４】
0004455630.tif 000015
でなく、
【数１５】
0004455630.tif 000016
の判定前の位相θ(n)を用いて、
【数１６】
0004455630.tif 000017
に対してexp(-jθ(n))を乗積したのちに、第二復調部６２において通常の、例えば、図１７（ｂ）のような信号点を持つＢＰＳＫ復調を行うことも可能である。この方法では、第一復調部６０の復調結果を用いずに、第二復調部６２でのデータ復調をすることができる。
【００９６】
一方、第二復調部６２において、第一復調部６０とは完全に独立した復調を実施することも可能である。この方法は、例えば、偶数サブキャリアのみ非常に大きな干渉を受けて復調できないような場合にも適用可能な復調方法である。図１９（ｂ）、図２２（ｂ）、図２５（ｂ）、図２８（ｂ）、図３１（ｂ）および図３４（ｂ）に示したように、第二変調信号点として使用される可能性のある信号点数は、元々の第二変調信号点のデータを変調するのに必要な信号点数よりも増えた変調信号点となっている。例えば、図１９（ｂ）の場合には、第二変調部１４での変調方式は、ＢＰＳＫであるが、第二変調部１４で生成される第二変調信号点は、ＱＰＳＫのものである。ただし、２つの信号点（例えば、PB10とPB20）は共に同じビット“0”を意味している。つまり、第二復調部６２では、ＢＰＳＫとしてではなくＱＰＳＫとして復調し、最もユークリッド距離の近い信号点を選択することで、直接的に第二ビット列を復調することができる。ただし、この場合には、復調の誤り率特性は、ＢＰＳＫのものではなく、ＱＰＳＫのシンボル誤り率特性となる。
【００９７】
図４４は、本発明の実施の形態に関わる受信機の第二の構成例を示す図である。受信機の第二の構成例は、送信機の第六、第七および第九の構成例からの信号を受信するための受信機の構成である。第一の構成例（図３９）との違いは、送信されたのが第一ビット列ではなく、パイロットシンボルになっているために、第一復調部６０がなく、その代わりに、送信機におけるパイロット生成部４１と同様のパイロットシンボルを生成するパイロット生成部６５と、パイロットシンボルを用いてチャネル推定を行うチャネル推定部（通信路推定部）６４がある点である。また、等化部６３が、第二ビット列に対してのみ必要であるので、サブキャリア分割部５６の後ろにある点である。パイロット生成部６５はたとえば複数のパイロットシンボルを記憶するパイロット記憶部に相当する。ＦＦＴ変換部５４までの動作は、受信機の第一の構成例と同じであるので説明を省略する。
【００９８】
サブキャリア分割部５６では図４１の例と同様に、受信周波数データを偶数周波数と奇数周波数の成分にそれぞれ分割する。第一受信周波数ブロックは、既知データであるパイロットシンボルの周波数応答に対して、通信路の周波数応答が乗積されたものである。したがって、チャネル推定部６４は、第一受信周波数ブロックと、パイロット生成部６５で生成されるパイロットシンボルとから、通信路応答を推定することができる。
【００９９】
等化部６３では、チャネル推定部６４の結果を利用して通信路の歪みを補正する。
【０１００】
等化処理が施された第二受信周波数ブロックは、図３９と同様に、ＩＦＦＴ変換部５８において逆フーリエ変換処理が施され、図４２で示したのと同様に位相補正部５９での位相補正処理が施され、これにより、N/2個の要素からなる第二受信ブロックが位相補正部５９から出力される。
【０１０１】
信号点補正部（信号点選択部）６１と第二復調部６２の動作も、基本的に、図３９の第一の構成例と同じである。違いは、第一の構成例では、第一復調部６０の復調結果を利用していたが、第二の構成例では、既知データであるパイロットシンボルそのものを用いて、信号点の補償を行うことができる点である。
【０１０２】
図４５は、本発明の実施の形態に関わる受信機の第三の構成例を示す図である。第一の構成例（図３９）との本質的な違いは、各ビット列を復調するために位相補正部５９を使用する代わりに、サイズがNであるＩＦＦＴ変換部６６、６７と、抽出部６８、６９を用いる点である。等化部５５までの処理は第一の構成例と同じであるが、サブキャリア分割部（受信周波数データ生成部）７０では、図４１（ａ）で示した受信周波数データに対して、図４６（ａ）および図４６（ｂ）で示したようなNサンプルの信号をＩＦＦＴ変換部６６、６７への入力とするようにサブキャリアの分割を行う。つまり、偶数周波数成分だけそのままでそれ以外を０にした信号がＩＦＦＴ変換部６６に入力され、奇数周波数成分だけそのままでそれ以外を０にした信号がＩＦＦＴ変換部６７へ入力される。図４６（ａ）の信号に対してサイズNのＩＦＦＴ変換部（たとえば第一の逆フーリエ変換部に相当）６６で逆フーリエ変換を施すと、長さN/2の同じデータ繰り返された信号（図４６（ｃ））が出力されるので、抽出部（たとえば第一抽出部に相当）６８では、ＩＦＦＴ変換部６６の出力の前からN/2の長さを抽出し、それを第一復調部６０への入力とする。また、図４６(ｂ)の信号に対してサイズNのＩＦＦＴ変換部（たとえば第二の逆フーリエ変換部に相当）６７で逆フーリエ変換を施すと、長さN/2の同じデータが符号反転して繰り返された信号（図４６(ｄ)）が出力されるので、抽出部（たとえば第二抽出部に相当）６９では、ＩＦＦＴ変換部６７の出力の前からN/2の長さを抽出し、それを第二復調部６２への入力とする。このようにサブキャリア分割部（受信周波数データ生成部）７０は、複数の周波数成分のうち１つおきの各第一周波数成分（偶数周波数成分あるいは奇数周波数成分）の値をゼロに設定した第一受信周波数データと、各第一周波数成分と異なる１つおきの各第二周波数成分（奇数周波数成分あるいは偶数周波数成分）をゼロに設定した第二受信周波数データとを生成する。各復調部６０、６２への入力信号は、第一の構成例（図３９）と全く同じになるので、それ以降の動作の説明は省略する。
【０１０３】
図４７は、本発明の実施の形態に関わる受信機の第四の構成例を示す図である。受信機の第四の構成例は、送信機の第六、第七および第九の構成例からの信号を受信するための受信機の構成である。第三の構成例（図４５）との違いは、送信されたのが第一ビット列ではなく、パイロットシンボルになっているために、第一復調部６０がなく、その代わりに、送信機におけるパイロット生成部４１と同様のパイロットシンボルを生成するパイロット生成部（パイロット記憶部）６５と、パイロットシンボルを用いてチャネル推定を行うチャネル推定部（通信路推定部）６４がある点である。また、等化部７０が、第二ビット列に対してのみ必要であるので、サブキャリア分割部５６の後ろにある点である。それ以外については、第二の構成例（図４４）と第三の構成例（図４５）を組み合わせたものであるので説明は省略する。
【０１０４】
これまでの本実施の形態では、第一ビット列によって生成された第一変調シンボルが、フーリエ変換後の周波数領域では偶数周波数成分に含まれ、第二ビット列によって生成される第二変調シンボルが奇数周波数成分に含まれる場合について説明した。しかし、第一ビット列によって生成された第一変調シンボルが奇数周波数成分に含まれ、第二ビット列によって生成される第二変調シンボルが偶数周波数成分に含まれる場合についても同様に本発明が適用できること明らかである。以下に、奇数周波数成分と偶数周波数成分が入れ替わった場合での本実施の形態による送信機と受信機の構成の違いを説明する。
【０１０５】
これまで、送信機の第一、第二、第三、第六の構成例において、第一変調シンボルがa(n) (n=1,2,…,N/2)、第二変調シンボルがb(n) (n=1,2,…,N/2)である場合には、送信ブロック内の送信シンボルx(n) (n=1,2,…,N)が、x(n)=a(n)+b(n) (n=1,2,…,N/2)、x(N/2+n)=a(n)-b(n) (n=1,2,…,N/2)であった。これを、x(n) (n=1,2,…,N/2)はそのままで、x(N/2+n)に対して-1を乗積して、x(N/2+n)=-a(n)+b(n)とすれば、第一変調シンボルが奇数周波数成分に含まれ、第二変調シンボルが偶数周波数成分に含まれることになる。これは、図４の送信機の第二の構成例では、サブキャリアマッピング部２４において、図７で示した第一周波数ブロックを奇数サブキャリアにマッピングし、第二周波数ブロックを偶数サブキャリアにマッピングし、尚且つ、第二ブロック生成部１５の後段の位相補正部を第一ブロック生成部の後段に移動することと等価である。
【０１０６】
同様に、送信機の第四、第五、第七の構成例では、図２０、図２１、図２３、図２４、図２６、図２７、図２９、図３０、図３２、図３３、図３５、図３６、図３７、図３８における送信変調信号点x(N/2+n)が、-1を乗積した信号点に置き換わることを意味する。例えば、図２０、図２１の場合では、x(N/2+n)の信号点PX1、PX2、PX3、PX4が、それぞれ、PX3、PX4、PX1、PX2に置き換わることになる。
【０１０７】
また、送信機の第八、第九の構成例では、図１５においてa(1),a(2),…,a(N/2)が逆符号で繰り返されたもの、つまり、a(1),a(2),…,a(N/2),-a(1),-a(2),…,-a(N/2)を第一ブロックとすれば、偶数周波数成分と奇数周波数成分を入れ替えることができる。
【０１０８】
次に偶数周波数成分と奇数周波数成分が入れ替わった場合の受信機の構成について説明する。受信機の第一、第二の構成例においては、サブキャリア分割部５６において、受信周波数データの奇数周波数成分を第一周波数ブロックとし、偶数周波数成分を第二周波数ブロックとする。つまり、図４１において、単純に、第一受信周波数ブロックと第二受信周波数ブロックを入れ替えたことを意味する。更に、位相補正部５９（図３９参照）は、奇数周波数成分の補正に必要であるので、第二復調部６２の前段の位相補正部は必要なくなり、代わりに受信機の第一の構成例においては、第一復調部６０の手前に挿入されることになる。本実施の形態における受信機の第五の構成例を図４８に示す。これは、図３９で示した受信機の第一の構成例に対して上記の変更を加えた受信機の構成例である。
【０１０９】
また、受信機の第三、第四の構成例においては、サブキャリア分割部の出力を入れ替えるだけで良い。つまり、図４６（ａ）が、第二ビット列のためのIFFT変換部６７への入力となり、図４６（ｂ）が第一ビット列のためのIFFT変換部６６への入力となる。
【０１１０】
以上のような方法を用いることで、第一ビット列によって生成された第一変調シンボルがフーリエ変換後の周波数領域では奇数周波数成分に含まれ、第二ビット列によって生成される第二変調シンボルが奇数周波数成分に含まれる場合にも本発明は適用可能である。
【０１１１】
以上のように、本実施の形態により、シングルキャリア信号の変調信号点を維持したまま、２つの異なるデータ列を周波数多重して送信することが可能な送信機が実現できる。また、本実施の形態により、シングルキャリア信号を受信しながら、フーリエ変換によって周波数成分を分離することで、２つの異なるデータ列の復調を可能とする受信機が実現できる。
【０１１２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１１３】
【図１】本発明の実施の形態に関わる送信機の第一の構成例を示す図。
【図２】本発明の実施の形態に関わる送信ブロック構成部１６の動作を説明する図。
【図３】本発明の実施の形態に関わるＧＩ付加部１７の動作を説明する図。
【図４】本発明の実施の形態に関わる送信機の第二の構成例を示す図。
【図５】本発明の実施の形態に関わる位相補正部の動作を説明する図。
【図６】本発明の実施の形態に関わる送信機で使用するサブキャリアを説明する図。
【図７】本発明の実施の形態に関わるサブキャリアマッピング部の動作を説明する図。
【図８】本発明の実施の形態に関わる送信機の第三の構成例を示す図。
【図９】本発明の実施の形態に関わるサブキャリア番号と周波数データの対応を示す図。
【図１０】本発明の実施の形態に関わる送信機の第四の構成例を示す図。
【図１１】本発明の実施の形態に関わる送信機の第五の構成例を示す図。
【図１２】本発明の実施の形態に関わる送信機の第六の構成例を示す図。
【図１３】本発明の実施の形態に関わる送信機の第七の構成例を示す図。
【図１４】本発明の実施の形態に関わる送信機の第八の構成例を示す図。
【図１５】本発明の実施の形態に関わる送信機の第八の構成例の動作を説明する図。
【図１６】本発明の実施の形態に関わる送信機の第九の構成例を示す図。
【図１７】本発明の実施の形態に関わる第一変調部１１と第二変調部１４と信号点制御部１３の動作を説明する図。
【図１８】本発明の実施の形態に関わる第一変調部１１と第二変調部１４と信号点制御部１３の動作を説明する別の図。
【図１９】本発明の実施の形態に関わる送信変調信号点の第一の構成例を示す図。
【図２０】本発明の実施の形態に関わる送信変調信号点の第一の構成例の第一ビット列および第二ビット列と、送信変調信号点との関係の一例を纏めた図。
【図２１】本発明の実施の形態に関わる送信変調信号点の第一の構成例の第一ビット列および第二ビット列と、送信変調信号点との関係の別の例を纏めた図。
【図２２】本発明の実施の形態に関わる送信変調信号点の第二の構成例を示す図。
【図２３】本発明の実施の形態に関わる送信変調信号点の第二の構成例の第一ビット列および第二ビット列と、送信変調信号点との関係の一例を纏めた図。
【図２４】本発明の実施の形態に関わる送信変調信号点の第二の構成例の第一ビット列および第二ビット列と、送信変調信号点との関係の別の例を纏めた図。
【図２５】本発明の実施の形態に関わる送信変調信号点の第三の構成例を示す図。
【図２６】本発明の実施の形態に関わる送信変調信号点の第三の構成例の第一ビット列および第二ビット列と、送信変調信号点との関係の一例を纏めた図。
【図２７】本発明の実施の形態に関わる送信変調信号点の第三の構成例の第一ビット列および第二ビット列と、送信変調信号点との関係の別の例を纏めた図。
【図２８】本発明の実施の形態に関わる送信変調信号点の第四の構成例を示す図。
【図２９】本発明の実施の形態に関わる送信変調信号点の第四の構成例の第一ビット列および第二ビット列と、送信変調信号点との関係の一例を纏めた図。
【図３０】本発明の実施の形態に関わる送信変調信号点の第四の構成例の第一ビット列および第二ビット列と、送信変調信号点との関係の別の例を纏めた図。
【図３１】本発明の実施の形態に関わる送信変調信号点の第五の構成例を示す図。
【図３２】本発明の実施の形態に関わる送信変調信号点の第五の構成例の第一ビット列および第二ビット列と、送信変調信号点との関係の一例を纏めた図。
【図３３】本発明の実施の形態に関わる送信変調信号点の第五の構成例の第一ビット列および第二ビット列と、送信変調信号点との関係の別の例を纏めた図。
【図３４】本発明の実施の形態に関わる送信変調信号点の第六の構成例を示す図。
【図３５】本発明の実施の形態に関わる送信変調信号点の第六の構成例の第一ビット列および第二ビット列と、送信変調信号点との関係の一例を纏めた図。
【図３６】本発明の実施の形態に関わる送信変調信号点の第六の構成例の第一ビット列および第二ビット列と、送信変調信号点との関係の別の例を纏めた図。
【図３７】本発明の実施の形態に関わる送信変調信号点の第八の構成例の第一ビット列および第二ビット列と、送信変調信号点との関係の一例を纏めた図。
【図３８】本発明の実施の形態に関わる送信変調信号点の第八の構成例の第一ビット列および第二ビット列と、送信変調信号点との関係の別の例を纏めた図。
【図３９】本発明の実施の形態に関わる受信機の第一の構成例を示す図。
【図４０】本発明の実施の形態に関わる受信機のＦＦＴ変換部の出力の例を示す図。
【図４１】本発明の実施の形態に関わるサブキャリア分割部の動作を説明する図。
【図４２】本発明の実施の形態に関わる受信機の位相補正部の動作を説明する図。
【図４３】本発明の実施の形態に関わる第一復調部と第二復調部と信号点補正部の動作を説明する図。
【図４４】本発明の実施の形態に関わる受信機の第二の構成例を示す図。
【図４５】本発明の実施の形態に関わる受信機の第三の構成例を示す図。
【図４６】本発明の実施の形態に関わる受信機の第三の構成例の動作を説明する図。
【図４７】本発明の実施の形態に関わる受信機の第四の構成例を示す図。
【図４８】本発明の実施の形態に関わる受信機の第五の構成例を示す図。
【図１】
0004455630.tif 000018
【図２】
0004455630.tif 000019
【図３】
0004455630.tif 000020
【図４】
0004455630.tif 000021
【図５】
0004455630.tif 000022
【図６】
0004455630.tif 000023
【図７】
0004455630.tif 000024
【図８】
0004455630.tif 000025
【図９】
0004455630.tif 000026
【図１０】
0004455630.tif 000027
【図１１】
0004455630.tif 000028
【図１２】
0004455630.tif 000029
【図１３】
0004455630.tif 000030
【図１４】
0004455630.tif 000031
【図１５】
0004455630.tif 000032
【図１６】
0004455630.tif 000033
【図１７】
0004455630.tif 000034
【図１８】
0004455630.tif 000035
【図１９】
0004455630.tif 000036
【図２０】
0004455630.tif 000037
【図２１】
0004455630.tif 000038
【図２２】
0004455630.tif 000039
【図２３】
0004455630.tif 000040
【図２４】
0004455630.tif 000041
【図２５】
0004455630.tif 000042
【図２６】
0004455630.tif 000043
【図２７】
0004455630.tif 000044
【図２８】
0004455630.tif 000045
【図２９】
0004455630.tif 000046
【図３０】
0004455630.tif 000047
【図３１】
0004455630.tif 000048
【図３２】
0004455630.tif 000049
【図３３】
0004455630.tif 000050
【図３４】
0004455630.tif 000051
【図３５】
0004455630.tif 000052
【図３６】
0004455630.tif 000053
【図３７】
0004455630.tif 000054
【図３８】
0004455630.tif 000055
【図３９】
0004455630.tif 000056
【図４０】
0004455630.tif 000057
【図４１】
0004455630.tif 000058
【図４２】
0004455630.tif 000059
【図４３】
0004455630.tif 000060
【図４４】
0004455630.tif 000061
【図４５】
0004455630.tif 000062
【図４６】
0004455630.tif 000063
【図４７】
0004455630.tif 000064
【図４８】
0004455630.tif 000065